(57)【要約】      （修正有）【課題】軸受内を通過した潤滑油の挙動を安定させることができる軸受潤滑装置を提供する。【解決手段】軸受潤滑装置は、内輪３ａ、外輪３ｂ、及び前記内外輪間に設けられた転動体３ｃとを有する軸受と、前記内輪と一体回転する回転軸５と、前記軸受の軸方向一方側に形成される給油流路７と、前記軸受の軸方向他方側に形成され、前記回転軸横断方向の断面積が前記給油流路の断面積より大きい排油流路９と、前記排油流路内において前記回転軸に取り付けられ、前記回転軸の軸方向で前記軸受の幅以上の距離だけ離間して設けられた整流板１１ａを備えた整流部材１１と、を有する。【選択図】図１
2018003949.tif 000002
【特許請求の範囲】
【請求項１】
内輪、外輪、及び前記内外輪間に設けられた転動体とを有する軸受と、  前記内輪と一体回転する回転軸と、  前記軸受の軸方向一方側に形成される給油流路と、  前記軸受の軸方向他方側に形成され、前記回転軸横断方向の断面積が前記給油流路の断面積より大きい排油流路と、  前記排油流路内において前記回転軸に取り付けられ、前記回転軸の軸方向で前記軸受の幅以上の距離だけ離間して設けられた整流板を備えた整流部材と、を有する軸受潤滑装置。
【請求項２】
前記整流板は、前記回転軸の回転方向側及び前記軸受側が閉じたらせん状の複数の羽根を有する請求項１記載の軸受潤滑装置。
【発明の詳細な説明】
【技術分野】
【０００１】
本発明は、軸受潤滑装置、特に強制循環給油に好適な軸受潤滑装置に関する。
【背景技術】
【０００２】
高速・高温・高荷重条件下で使用される機械システムにおいては、回転軸を支持する軸受の潤滑は、強制循環給油が多用されている。給油温度、給油圧力の調整がきめ細かくできて信頼性が高く、また冷却効果が大きいなどの理由による。かかる強制循環給油は、一般的に、油タンク、ポンプ、配管系から構成されている。  
【０００３】
図３は、特許文献１に記載されている、冷凍装置の冷媒回路に接続されるスクリュー圧縮機の軸受部を示す図である。圧縮機構部、電動機（何れも不図示）と連結された回転軸１０５を支持する玉軸受１０３は、ハウジング部材１１５に固定支持されている。ハウジング部材１１５内には収容室１０７、１０９が形成されており、この収容室１０７、１０９内を充たしている潤滑油によって、玉軸受１０３が潤滑されている。  
【０００４】
ハウジング部材１１５には、油循環回路の油供給配管１２５ａが接続される給油口１２３ａと、油戻り配管１２５ｂが接続される排油口１２３ｂとが設けられている。この給油口１２３ａを通じて貯留タンク（不図示）から油供給配管１２５ａを経て収容室１０７へ潤滑油が供給され、排油口１２３ｂを通じて収容室１０９から油戻り配管１２５ｂを経て、貯留タンクへ潤滑油が戻されるようになっている。  
【０００５】
ハウジング部材１１５には、収容室１０９を封止するラビリンスシール１２７が設けられている。ラビリンスシール１２７には、回転軸１０５が貫通する貫通孔部１２６が形成され、このラビリンスシール１２７により、収容室１０７、１０９の潤滑油がハウジング部材１１５の外側へ洩れるのを抑制している。
【先行技術文献】
【特許文献】
【０００６】
【特許文献１】特開２０１４−１２９９６２号公報
【発明の概要】
【発明が解決しようとする課題】
【０００７】
上述したような強制循環給油によって軸受を潤滑する場合、軸受内を通過して軸受の出口側へ流出する潤滑油には、軸受回転に準じて渦状の流れ（乱流）が発生する。このような乱流が発生したままだと潤滑油の循環エネルギーの損失につながり、また排出口からの潤滑油の排出に支障をきたす虞もある。  
【０００８】
本発明は、上記のような問題点を解決し、軸受内を通過した潤滑油の挙動を安定させることができる軸受潤滑装置を提供することを目的とする。
【課題を解決するための手段】
【０００９】
上記目的を達成するため、本発明に係る軸受用潤滑装置は、以下のように構成される。（１）内輪、外輪、及び前記内外輪間に設けられた転動体とを有する軸受と、  前記内輪と一体回転する回転軸と、  前記軸受の軸方向一方側に形成される給油流路と、  前記軸受の軸方向他方側に形成され、前記回転軸横断方向の断面積が前記給油流路の断面積より大きい排油流路と、  前記排油流路内において前記回転軸に取り付けられ、前記回転軸の軸方向で前記軸受の幅以上の距離だけ離間して設けられた整流板を備えた整流部材と、を有する軸受潤滑装置。（２）前記整流板は、前記回転軸の回転方向側及び前記軸受側が閉じたらせん状の複数の羽根を有する（１）の軸受潤滑装置。
【発明の効果】
【００１０】
本発明に係る軸受潤滑装置によれば、軸受の軸方向他方側に形成され、回転軸横断方向の断面積が給油流路の断面積より大きい排油流路内に、回転軸の軸方向で軸受の幅以上の距離だけ離間して回転軸に取り付けられた整流板を有することにより、潤滑油の流れを整流化可能となる。また流路の断面積に差をもたせることで、給油側と排油側での圧力差を生じさせ、潤滑油の流れを促進できる。
【図面の簡単な説明】
【００１１】
【図１】本発明に係る軸受潤滑装置の断面図である。
【図２】図１のＡ矢視図で、整流部材のみを取り出して示した図である。
【図３】従来の軸受潤滑装置の一例を示す断面図である。
【発明を実施するための形態】
【００１２】
以下、本発明の実施形態を図面に基づいて説明する。図１に示す軸受潤滑装置１は、軸受３と、回転軸５と、給油流路７と、排油流路９と、整流部材１１と、を備えている。  
【００１３】
軸受３は、内輪３ａと、外輪３ｂと、これら内輪３ａ及び外輪３ｂ間に設けられた転動体（玉）３ｃとを有する。内輪３ａは回転軸５に取り付けられ、外輪３ｂは、ハウジング１５の段部１５ａで軸方向に位置決めされ、圧入等によりハウジング１５の所定位置に取り付けられている。なお転動体としては、本実施形態の玉に代えて、ころであってももちろん差し支えない。  
【００１４】
回転軸５は、上述した内輪３ａと一体回転するようになっており、図中左方の頭部５ａと、この頭部５ａよりも軸横断方向の断面積（以下単に「断面積」というときは、軸横断方向の断面積をいう。）が小さく内輪３ａと嵌合している軸部５ｂと、を有する。  
【００１５】
給油流路７は、供給されてきた潤滑油が流れる流路であり、軸受３の軸方向一方側（図中左方側）において、ハウジング１５と回転軸５の頭部５ａとの間に形成されている。なお、図示は省略されているが、給油流路７の図中左方側に、潤滑油貯留タンクから油供給配管を通って供給されてくる潤滑油の給油口が設けられている。  
【００１６】
排油流路９は、軸受３内を通過した潤滑油が流れる流路であり、軸受３の軸方向他方側（図中右方側）において、ハウジング１５と回転軸５の軸部５ｂとの間に形成されている。ハウジング１５は給油流路７側の内径よりも排油流路９側の内径のほうが大きく、又回転軸５は給油流路７側の頭部５ａの外径よりも排油流路９側の軸部５ｂの外径のほうが小さい、即ち排油流路９側の方が内外径差が大きいので、排油流路９の断面積の方が給油流路７の断面積よりも大きい。なお、図示は省略されているが、排油流路９の図中右方側には、貯留タンクへ油戻り配管を通って戻される潤滑油の排油口が設けられている。  
【００１７】
整流部材１１は、排油流路９内に位置し、回転軸５の軸部５ｂに一体に取り付けられた芯部１１ａと、この芯部１１ａから径方向外側及び軸方向で軸受３から遠ざかる側に伸びた整流板１１ｂとを有する。整流部材１１の図中左方端は内輪３ａと当接し、右方端側に整流板１１ｂが取り付けられている。整流板１１ｂの設けられる位置は、整流作用を考慮すると軸受３から所定以上の距離離間していることが好ましく、軸受３の軸方向幅以上の距離離間しているのが好ましい。整流板１１ｂは、図２から明らかように、軸方向及び径方向共に傾斜した（ねじれた）らせん状の羽根とされている。この整流板１１ｂの中心側は、回転方向側及び軸受３側において閉じた状態で、芯部１１ａと連続している。なお、芯部と整流板は必ずしも単一の部材から構成されている必要はなく、両者が別体であってもよい。  
【００１８】
次に上述した軸受潤滑装置１の作動について説明する。  
【００１９】
第1図左方の給油流路７内に圧送されてきた潤滑油は、図中右方に進んで軸受３内に供給され、外輪軌道面と玉３ｃとの間及び玉３ｃと内輪軌道面との間に潤滑油膜を形成し、回転軸５が高速や高荷重下で回転するのを可能とする。このとき、給油流路７→軸受３→排油流路９へと移動する潤滑油には、回転軸５や内輪３ａの回転、玉３ｃの公転に準じて、軸受３の図中右方側である出口側では、渦状の流れが発生する。  
【００２０】
しかし、この渦状の流れは、整流板１１ｂの羽根とぶつかることで、回転軸５の軸線方向の流れに整流される。従って、回転軸５が回転しているため、渦状の流れが無くなることはないが、整流されることで渦の強さが弱められる。これによって、排油流路９内の潤滑油の流れの乱れが低減され、潤滑油循環中のエネルギー損失を低減できる。  
【００２１】
また、排油流路９の断面積が給油流路７の断面積よりも大きいことで、排油流路９の圧力が低くなり、２つの流路の間で圧力差が発生する。そしてこの圧力差により、吸引効果が生じ潤滑油の流れを促進する。このような促進された潤滑油の流れにより、常に潤滑面を清浄に保つことが可能になる。  
【００２２】
なお、本発明は、前述した実施形態に限定されるものではなく、適宜、変形、改良、等が可能である。例えば、軸受潤滑装置の用途としては、冷凍装置だけでなく、鉄鋼圧延装置用の軸受などにも使用することができる。
【符号の説明】
【００２３】
３    軸受    ５    回転軸    ７    給油流路    ９    排油流路    １１    整流部材    １１ａ    整流板
【図１】
2018003949.tif 000003
【図２】
2018003949.tif 000004
【図３】
2018003949.tif 000005